(57)【要約】      （修正有） 【課題】夏季に、炊きたて米飯、又は、保温中の米飯を氷冷し、或いは、冷飯を更に氷冷し、食す為の専用の食器を提供する。【解決手段】長方体の容器本体部１の平面上長辺方向の中間部付近に容器を２分する為の隔て板２を設け、その隔て板には複数の小穴３を設ける。本体椀部の平面状長辺方向の中心部付近に、米飯６は通過せず氷冷水のみが通過するプレートに適当数の穴空けをした隔て板２、又は、メッシュ状の隔て板２で本体部と一体となった、又は、位置移動可能な隔て板、及び、本体部と摩擦により固定する氷を収納する箱型の物の一部に氷冷水のみが通過出来る隔て板を設け米飯６と氷５を隔絶する。【選択図】図１
0003159069.tif 000002
【実用新案登録請求の範囲】
【請求項１】
長方体の容器本体部の平面上長辺方向の中間部付近に、容器内を２分する為の隔て板を設け,その隔て板に米粒を通さない大きさの小穴を複数備えた事を特徴とする、氷冷飯用食器。
【考案の詳細な説明】
【技術分野】
【０００１】
本考案は、夏季に、炊きたて米飯、又は、保温中の米飯を氷冷し、或いは、冷飯を更に氷冷し、食す為の専用の食器である。
【背景技術】
【０００２】
本考案によらず氷冷飯を食す際には米飯と氷片が混在し、氷片が邪魔をする為、一度、別容器にて氷冷し、食す容器に移し替えをしなければならず、氷冷水ではあるが、前記の理由で、氷を投入する事が出来ない為、冷たさが違う。氷冷飯用食器としては考案者の所有する下記の２件の実用新案が知られている。
【先行技術文献】
【特許文献】
【０００３】
【特許文献１】実用新案登録第3149193号
【特許文献２】実用新案登録第3154795号
【考案の概要】
【考案が解決しようとする課題】
【０００４】
米飯と氷を、米飯が通過せず氷冷水のみが通過する物で隔絶し、氷が溶け水面が上昇し、本体椀より氷冷水が溢れ出すのを防ぐ為に、余分な氷冷水を簡単に汲み取る事が出来、小型で軽量、更に,使用方法が単純で大人も子供も利用出来、安価で提供出来る物とする。
【課題を解決するための手段】
【０００５】
本考案は長方体の容器本体部の平面上長辺方向の中間部付近に容器を2分する為の隔て板を設け、その隔て板には複数の小穴を備えた事を特徴とする氷冷飯用食器である。実用新案第3154795号のメッシュ状内椀付きの蓋部を取り止め、本体椀部の平面状長辺方向の中心部付近に、米飯は通過せず氷冷水のみが通過するプレートに適当数の穴空けをした隔て板,又は,メッシュ状の隔て板で本体部と一体となった、又は,位置移動可能な隔て板、及び、本体部と摩擦により固定する氷を収納する箱型の物の一部に氷冷水のみが通過出来る隔て板を設け米飯と氷を隔絶する。          
【考案の効果】
【０００６】
実用新案登録第3154795号の場合は、本体椀部、及びメッシュ状内椀を備えた蓋部があったが、本食器の目的は単純に米飯と氷を氷冷水のみが通る構造の物で隔絶し、視覚によっても冷涼感を味わいつつ氷冷飯を食す事が第一の目的とし、その為には、最大限単純構造の物で十分である事、又,前考案の蓋部に取り付けたメッシュ状内椀に代わりに本体部を直接米飯用お椀として使用する事で,小型で軽量、使用上も単純で、更に,安価で製作出来る事が判明した。しかも、本体部の底板と側板との間を曲面にする事で、前考案の、底部が半円形状のお椀形の物、と、使用上大差が無い事も判明、更にメッシュ状内椀付き蓋部を無くした事により、前考案と外寸法を同じとした場合、より多くの量の米飯を収納するスペースが増え、又、米飯、氷共、投入し易くなり、前考案、及び今回考案の物共、使用中に氷が溶けて水面が上昇し、氷冷水が溢れ出る恐れがあるが、今回の考案は蓋部を無くした事で比較的簡単に余分な氷冷水を汲み取る事が出来る。以上の事は前考案の本体部を蓋部で蔽う事のメリットよりも大きいものである事も判明した。本食器はなるべく米飯の量を多くするのが理想的であるが、本食器は炊きたて又は保温中の米飯を食す事を目的とする為,米飯を多くした場合はそれに合わせて氷も増やす必要が有り、前考案の場合長辺方向22ｃｍ,短辺方向16ｃｍ,高さ、7ｃｍ程度の大きさで実行する予定であったが、木製で実行した場合であるが、板材の必要厚さ等もあり、考案者が満足し納得が行く製品にする為には,長辺方向26〜28ｃｍ,短辺方向17〜18ｃｍ、高さ9〜10ｃｍを必要とし、予想外の大きさが必要である事が分かった。しかし今回の考案は、内椀及び蓋部を無くした事により、全体の大きさ、又、高さも比較的自由に出来、その為、軽量ともなり、子供用、大人用に区別して製作する事も可能になった。今回考案の隔て板の位置移動出来る物に比べ、本体と隔て板を一体とした構造の物の場合の考案は、使用上、構造上最大限単純でその都度隔板を取り付け取り外すわずらわしさは省けるが氷の量は限られる欠点がある。しかし隔て板が移動出来る構造の物に比べ構造が単純で製作費が安価となる為、当然、安価で供給出来るメリットがある。又、隔て板を移動出来る構造の物は氷の量及び米飯の量を調節し、冷たさを調節出来る長所がある。又,取り外しが出来る氷を収納する為の箱型の物を備えた物は、多目の氷を収納出来,飲食店等での利用の場合、氷の追加注文等の労力を省く事が出来るものと考える。以上の事項に比べ前考案の場合は、使用順序として、本体部に蓋部を固定し,次に氷を投入、その後、内椀に表示した使用開始時水面位置まで水を投入,更に米飯を投入する順序を守らなればならず,又,蓋部が氷により持ち上がるのを防ぐ為に本体部と蓋部を止める為の構造、又は部品を必要とし、又、全体が蓋部で覆われる為、氷が溶け、水面が上昇し、本体椀部から氷冷水が溢れ出るのを防ぐ為には、メッシュ状内椀の内側の鍔部の垂直部分に使用開始時水面位置及び限界水面位置を、ある程度の高さの間隔を持って線及び文字等で表示し、更に、説明書等で使用時の順序等を指示する必要である事が分かった。(今回の考案の場合は全体がオープンの為、使用者が個々に限界水面を簡単に判断が出来る。)その為、鍔部垂直部分の縦寸法を大きく取る必要が生じ、当初計画に比べ全体が前記の説明程度の高さを必要とし、更に、氷が溶け、限界水面に達した場合には、狭いメッシュ状内椀部から、或いは、蓋部全体を取りはずして使用開始時水面まで氷冷水を汲み上げる必要がある事が判明、提供単価も今回の考案に比べ、問題にならない程高額となる事も判明した。
【図面の簡単な説明】
【０００７】
【図１】本体部に隔て板を固定した物の全体鳥瞰図である
【図２】図1の見下ろし図である。
【図３】図1のA-A断面図である。
【図４】図1のB-B断面図である。
【図５】隔て板の位置移動が出来る物の全体鳥瞰図である。
【図６】図5の隔て板を取り外した本体部の鳥瞰図である。
【図７】図5の隔て板部分の体鳥瞰図である。
【図８】図5の見下ろし図である。
【図９】図8のA-A断面図である。
【図１０】図8のB-B断面図である。
【図１１】取り外し可能な箱型の氷収納部分を備えた物の全体鳥瞰図である。
【図１２】図11の氷収納用の箱型部分の鳥瞰図である。
【図１３】図11の氷収納用の箱型部分を取り外した本体部の鳥瞰図である。
【図１４】図11の見下ろし図である。
【図１５】図14のA-A断面図である。
【図１６】図14のB-B断面図である。
【考案を実施するための形態】
【０００８】
全体を長方体で、本体椀部は、プラスチック製,又は,硬質塩化ビニール製、又は、金属製、或いは木製とし、穴空きの隔て板は、プラスチック製,又は,硬質塩化ビニール製又は、金属製とする。本考案の隔て板は図1に示すように容器本体部1の長辺方向の内部側の側板に固着するか、又は図5に示すように容器本体部1の長辺方向の内部側の側板に移動可能な隔て板2を固定する為の溝9を設けて隔て板2を設けても良い。更に、隔て板2は図11に示すように隔て板2を一辺とする箱とする事で取り外し可能な氷収納箱とする事でも良い。氷収納箱は図13に示すレール10で止められる。隔て板2の小穴3は米飯を通さず氷冷水のみが通る大きさの穴やメッシュとする。  
【実施例】
【０００９】
大人用の場合は、本体椀部及び隔て板部共、木製の場合を除き前記材質で、厚みは約２ミリメートル程度とし、全体は  長辺方向、約19センチメートル、短辺方向、約15センチメートル、高さ、約7センチメートル、隔板は、厚さ約2ミリメートル、高さ約6.8センチメートル、幅約14.6センチメートルとする。又,箱型の氷収納部は、本体椀部にはまり込む大きさとし、プラスチック製、又は、硬質塩化ビニール製、又は、金属製とする。
【産業上の利用可能性】
【００１０】
近年、全世界で地球温暖化防止が叫ばれ、我が国の政府でも二酸化炭素を25パーセント削減する事を目標とすると発表しましたが、本食器はクーラー等が無い場所で使用するのが最適で、又,考案者の希望でもあり、短時間ではありますが、クーラー等使用により求める涼に比べ比較的消エネで済み、夏季において夏バテによる食欲不振を解決する為の一手段となり得、又、氷は家庭用の冷蔵庫で製氷される物を使用出来、クーラー等の電力消費量に比べ、製氷の為の電力量は格段に少なくて済む事も調査により分かった。更に、我が国では米の消費量が年々減って来ていると言われており、特に夏季には食欲不振に陥るのが一般的である為、夏季には更に米の消費量が減るものと考えられる。我が国の一地方では農作業の昼食時には水掛け米飯（氷冷飯では無い）を食す事が多いが、本食器により、より冷たい物を提供出来、更に国外においても日本食が非常に健康に良いとされており、本考案が製品化され、一般社会に流通するに至った場合には我が国の米の消費量も増え、国外においても日本食の新メニューとして登場する事も考えられる。又、我が国の首都にある某和風料理店でも夏季には氷冷飯が人気メニューの一つと言う事である（ＴＶ放映に依る）。体験上、夏季の飲酒後に食す氷冷飯は最高の味である。と、私は思います。その為、個人的な意見ですが、飲食店等での利用の可能性、更に,我が国の国民の一人々が一日にスプーン一杯のお米を食す事によって農業に与える影響は多大であると前政権時代の某大臣がTVで発言しており,本食器が発売される事により米農家、その他、外食産業にも大変プラスになるものと考える。  
【符号の説明】
【００１１】
1       本体部                                                            
2      隔て板
3      隔て板の小穴
4      本体部の取っ手部分
5       氷  
6       米飯
7       使用開始時の水面位置を表示する為の逆三角形及び文字説明の印刷又は彫刻
8       使用開始時の水面位置を表示する為の色分け又は線の印刷或いは彫刻
9       移動可能な隔て板を固定する為の溝
10      取り外し可能な氷収納用箱を固定するのを補助する為のレール
11      取り外し可能な氷収納箱  
【図１】
0003159069.tif 000003
【図２】
0003159069.tif 000004
【図３】
0003159069.tif 000005
【図４】
0003159069.tif 000006
【図５】
0003159069.tif 000007
【図６】
0003159069.tif 000008
【図７】
0003159069.tif 000009
【図８】
0003159069.tif 000010
【図９】
0003159069.tif 000011
【図１０】
0003159069.tif 000012
【図１１】
0003159069.tif 000013
【図１２】
0003159069.tif 000014
【図１３】
0003159069.tif 000015
【図１４】
0003159069.tif 000016
【図１５】
0003159069.tif 000017
【図１６】
0003159069.tif 000018
【手続補正書】
【提出日】平成22年2月23日(2010.2.23)
【手続補正１】
【補正対象書類名】明細書
【補正対象項目名】０００５
【補正方法】変更
【補正の内容】
【０００５】本考案は長方体の容器本体部の平面上長辺方向の中間部付近に容器を２分する為の隔て板を設け、その隔て板には多数の小穴を備えた事を特徴とする氷冷飯用食器である。実用新案第３１５４７９５号のメッシュ状内椀付きの蓋部を取り止め、本体椀部の平面状長辺方向の中間部付近に、米飯は通過せず氷冷水のみが通過するプレートに適当数の穴明けをした隔て板，又は，メッシュ状の隔て板で本体部と一体となった、又は，位置移動可能な隔て板、及び、本体部と摩擦により固定する氷を収納する箱型の物の一部に氷冷水のみが通過出来る隔て板を設け米飯と氷を隔絶する。
【手続補正２】
【補正対象書類名】明細書
【補正対象項目名】０００６
【補正方法】変更
【補正の内容】
【０００６】  実用新案登録第３１５４７９５号の場合は、本体椀部、及びメッシュ状内椀を備えた蓋部があったが、本食器の目的は単純に米飯と氷を氷冷水のみが通る事が出来る構造の物で隔絶し、視覚によっても冷涼感を味わいつつ氷冷飯を食す事が第一の目的とし、その為には、最大限単純構造の物で十分である事、又，前考案の蓋部に取り付けたメッシュ状内椀に代わりに本体部を直接米飯用お椀として使用し，小型で軽量、使用上も単純で、更に，安価で製作出来る事が判明した。しかも、本体部の底板と側板との間を曲面にし、食す際に穴明きスプーンを使用する事で、前考案の、底部が半円形状のお椀形の物、と、使用上大差が無い事も判明、更にメッシュ状内椀付き蓋部を無くした事により、前考案と外寸法を同じとした場合、より多くの量の米飯を収納するスペースが増え、又、米飯、氷共、投入し易くなり、前考案、及び今回考案の物共、使用中に氷が溶けて水面が上昇し、氷冷水が溢れ出る恐れがあるが、今回の考案は蓋部を無くした事で比較的簡単に余分な氷冷水を汲み取る事が出来る。以上の事は前考案の本体部を蓋部で蔽う事のメリットよりも大きいものである事も判明した。本食器はなるべく米飯の量を多くするのが理想的であるが、本食器は炊きたて又は保温中の米飯を食す事を目的とする為，米飯を多くした場合はそれに合わせて氷も増やす必要が有り、前考案の場合長辺方向２２ｃｍ，短辺方向１６ｃｍ，高さ、７ｃｍ程度の大きさで実行する予定であったが、木製で実行した場合であるが、板材の必要厚さ等もあり、考案者が満足し納得が行く製品にする為には，長辺方向２６〜２８ｃｍ，短辺方向１７〜１８ｃｍ、高さ９〜１０ｃｍを必要とし、予想外の大きさが必要である事が分かった。しかし今回の考案は、内椀及び蓋部を無くした事により、全体の大きさ、又、高さも比較的自由に出来、その為、軽量ともなり、子供用、大人用に区別して製作する事も可能になった。今回考案の隔て板の位置移動出来る物に比べ、本体と隔て板を一体とした構造の物の場合は、使用上、構造上最大限単純でその都度隔板を取り付け取り外すわずらわしさは省けるが氷の量は限られる欠点がある。しかし隔て板が移動出来る構造の物に比べ構造が単純で製作費が安価となる為、当然、安価で供給出来るメリットがある。又、隔て板を移動出来る構造の物は氷の量及び米飯の量を調節し、冷たさを調節出来る長所がある。又，取り外しが出来る氷を収納する為の箱型の物を備えた物は、多目の量の氷を収納出来，飲食店等向きで、氷の追加注文の労力を省く事が出来るものと考える。以上の事項に比べ前考案の場合は、使用順序として、本体部に蓋部を固定し，次に氷を投入、その後、内椀に表示した使用開始時水面位置まで水を投入，更に米飯を投入する順序を守らなればならず，又，蓋部が氷により持ち上がるのを防ぐ為に本体部と蓋部を止める為の構造、又は部品を必要とし、又、全体が蓋部で覆われる為、氷が溶け、水面が上昇し、本体椀部から氷冷水が溢れ出るのを防ぐ為には、メッシュ状内椀の内側の鍔部の垂直部分に使用開始時水面位置及び限界水面位置を、ある程度の高さの間隔を持って線及び文字等で表示し、更に、説明書等で使用時の順序等を指示する必要である事が分かった。（���回の考案の場合は全体がオープンの為、使用者が個々に限界水面を簡単に判断が出来る。）その為、鍔部垂直部分の縦寸法を大きく取る必要が生じ、当初計画に比べ全体が前記の説明程度の高さを必要とし、更に、氷が溶け、限界水面に達した場合には、狭いメッシュ状内椀部から、或いは、蓋部全体を取りはずして使用開始時水面付近まで氷冷水を汲み上げる必要がある事が判明、提供単価も今回の考案に比べ、問題にならない程高額となる事も判明した。
【手続補正３】
【補正対象書類名】明細書
【補正対象項目名】０００７
【補正方法】変更
【補正の内容】
【０００７】
【図１】本体部と隔て板を一体とした物の全体鳥瞰図である。
【図２】図１の見下ろし図である。
【図３】図１のＡ−Ａ断面図である。
【図４】図１のＢ−Ｂ断面図である。
【図５】隔て板の位置移動が出来る物の全体鳥瞰図である。
【図６】図５の隔て板を取り外した本体部の鳥瞰図である。
【図７】図５の隔て板部分の体鳥瞰図である。
【図８】図５の見下ろし図である。
【図９】図８のＡ−Ａ断面図である。
【図１０】図８のＢ−Ｂ断面図である。
【図１１】取り外し可能な箱型の氷収納部分を備えた物の全体鳥瞰図である。
【図１２】図１１の氷収納用の箱型部分の鳥瞰図である。
【図１３】図１１の氷収納用の箱型部分を取り外した本体部の鳥瞰図である。
【図１４】図１１の見下ろし図である。
【図１５】図１４のＡ−Ａ断面図である。
【図１６】図１４のＢ−Ｂ断面図である。
【手続補正４】
【補正対象書類名】実用新案登録請求の範囲
【補正対象項目名】全文
【補正方法】変更
【補正の内容】
【請求項１】
長方体の容器本体部の平面上長辺方向の中間部付近に，容器内を２分する為の隔て板を設け、その隔て板に氷冷水が通過出来，米粒を通さない大きさの小穴を多数備えた事を特徴とする氷冷飯用食器。